(57)【要約】本発明は高速パケット・データ（ＨＲＰＤ）ネットワークにおいて１ｘネットワークからのページングを伝送する方法に係り、第二カラー・コード（Ｓｅｃｏｎｄａｒｙ＿Ｃｏｌｏｒ＿Ｃｏｄｅ）・メカニズムをこの発明に応用し、デュアルモード端末（ＭＳ／ＡＴ）が登録されたＨＲＰＤアクセスネットワーク（ＡＮ）がその周辺の他のＡＮにＡ１３−ページング応答メッセージを送信し、これらのＡＮを通じて一括でＭＳ／ＡＴをページングする。本発明によると、両ネットワークのメッセージ様式の相互変換機能（ＩＷＳ）がＨＲＰＤシステムのパケット制御機能モジュール（ＰＣＦ）内、又は１ｘ基地局（１ｘ＿ＢＳ）内に設けられている場合、マルチＡＮの境界付近に存在するＭＳ／ＡＴに対し、１ｘネットワークからのページングサービスを適時及び正確にＨＲＰＤシステムに伝送し、両ネットワークの運行能力を強化できる。【選択図】図３
2010516071.tif 000002
【特許請求の範囲】
【請求項１】
高速パケット・データ（ＨＲＰＤ）ネットワークにおいて１ｘ（３Ｇ（ＣＤＭＡ）＿１ｘ）ネットワークからのページングを伝送する方法であって、ＨＲＰＤと１ｘのメッセージ様式の相互変換機能（ＩＷＳ）が高速パケット・データ・ネットワーク・システムのパケット制御機能モジュール（ＰＣＦ）内に設けられている場合、
［ａ］  １ｘネットワークの移動交換局（ＭＳＣ）は、高速パケット・データ・ネットワーク・システムのソース・パケット制御機能モジュール（ソースＰＣＦ）、及びそのソース・アクセス・ネットワーク（ソースＡＮ）のページングエリア内の、デュアルモード端末（ＭＳ／ＡＴ）がアクセスできる１つ或は複数の１ｘ基地局（１ｘ−ＢＳ）にページング請求メッセージを送信するステップと、
［ｂ］  前記ソースＰＣＦは、Ａ１４−１ｘサービス・ページング・メッセージを前記ソースＡＮに送信し、前記ソースＡＮから返信されたＡ１４−１ｘサービス・ページング確認メッセージを受信するステップと、
［ｃ］  前記ソースＰＣＦは、Ａ１３−ページング請求メッセージを目標パケット制御機能モジュール（目標ＰＣＦ）に送信し、前記目標ＰＣＦから返信されたＡ１３−ページング応答メッセージを受信するステップと、
［ｄ］  前記の目標ＰＣＦはＡ１４−１ｘサービス・ページング・メッセージを目標アクセス・ネットワーク（目標ＡＮ）に送信し、前記目標ＡＮから返信された確認メッセージを受信するステップと、
［ｅ］  前記ソースＡＮと前記目標ＡＮはそれぞれ、前記ＭＳ／ＡＴにページング・メッセージを送信するステップと、
［ｆ］  前記ＭＳ／ＡＴは空中インタフェースのページング応答メッセージを前記１ｘ基地局に送信した後、前記１ｘ基地局は当該メッセージにより、ページング応答メッセージをセットアップし、そのページング応答メッセージを完全レイヤー３メッセージの中に置き、前記ＭＳＣに送信し、前記ＭＳＣと前記ＭＳ／ＡＴは、前記ＭＳ／ＡＴに関する１ｘネットワーク上でのコールセットアッププロセスをスタートするステップと、を具備することを特徴とする、高速パケット・データ・ネットワークにおいて１ｘネットワークからのページングを伝送する方法。
【請求項２】
さらに、ステップ［ｇ］  前記ＭＳＣは、前記ソースＰＣＦに登録イベントを含むイベント通知メッセージを送信し、前記ソースＰＣＦから返信されたイベント通知確認メッセージを受信する、というステップを含むことを特徴とする、請求項１に記載の、高速パケット・データ・ネットワークにおいて１ｘネットワークからのページングを伝送する方法。
【請求項３】
前記ソースＰＣＦは、前記ＭＳ／ＡＴが登録され、且つ前記ＭＳ／ＡＴの登録が更新されたＭＳＣと接続するＨＰＲＤ−ＰＣＦであり、
前記ソースＡＮは、前記ソースＰＣＦに対応するＡＮであり、
前記目標ＰＣＦは、前記ソースＰＣＦと境界を接する他のＰＣＦであり、
前記目標ＡＮは前記目標ＰＣＦに対応するＡＮであることを特徴とする請求項１に記載の、高速パケット・データ・ネットワークにおいて１ｘネットワークからのページングを伝送する方法。
【請求項４】
前記ステップ［ｃ］において、前記Ａ１３−ページング請求メッセージはその他の新しく定義されたメッセージであり、前記新しいメッセージはソースＰＣＦが目標ＰＣＦに要請して、前記ＭＳ／ＡＴのページングの完成に協力させる機能を満たし、これに対するＡ１３−ページング応答メッセージは対応する新しく定義されたメッセージであることを特徴とする請求項１に記載の、高速パケット・データ・ネットワークにおいて１ｘネットワークからのページングを伝送する方法。
【請求項５】
前記ステップ［ｃ］において、前記Ａ１３−ページング請求メッセージは目標ＡＮのページングエリアの確定に必要な前記ＭＳ／ＡＴの関連会話情報と、前記１ｘからのページング制御メッセージを含むことを特徴とする請求項１に記載の、高速パケット・データ・ネットワークにおいて１ｘネットワークからのページングを伝送する方法。
【請求項６】
前記ステップ［ｃ］において、前記Ａ１３−ページング請求メッセージは更にソースＡＮのページング送信時間情報を含むことを特徴とする請求項５に記載の、高速パケット・データ・ネットワークにおいて１ｘネットワークからのページングを伝送する方法。
【請求項７】
前記目標ＰＣＦは、前記ＨＲＰＤシステムの１つ或は複数のＰＣＦであることを特徴とする請求項１乃至６のいずれか一項に記載の、高速パケット・データ・ネットワークにおいて１ｘネットワークからのページングを伝送する方法。
【請求項８】
ＨＲＰＤにおいて１ｘネットワークからのページングを伝送する方法であって、ＩＷＳが１ｘ基地局内に設けられている場合、
［Ａ］  １ｘネットワークの移動交換局（ＭＳＣ）は、ページング請求メッセージを前記ＩＷＳ（ＩＷＳ−１ｘ＿ＢＳ）に送信するステップと、
［Ｂ］  前記ＩＷＳ−１ｘ＿ＢＳは、ソースＰＣＦに１ｘジェネラル・ページング・メッセージを含むＡ２１−１ｘ空中信号伝達メッセージを送信し、前記のソースＰＣＦから返信された確認メッセージを受信するステップと、
［Ｃ］  前記ソースＰＣＦは、Ａ１３−ページング請求メッセージを目標ＰＣＦに送信し、前記の目標パケット制御機能モジュールから返信されたＡ１３−ページング応答メッセージを受信するステップと、
［Ｄ］  前記ソースＰＣＦと前記目標ＰＣＦは、それぞれ前記ソースＡＮと前記目標ＡＮに、Ａ１４−１ｘサービス・ページング・メッセージを送信し、それぞれ相手側から返信された確認メッセージを受信するステップと、
［Ｅ］  前記ソースＡＮと前記目標ＡＮは、それぞれ前記ＭＳ／ＡＴにジェネラル・ページング・メッセージを送信するステップと、
［Ｆ］  前記ＭＳ／ＡＴは、空中インタフェース・ページング応答メッセージを前記ＩＷＳ−１ｘ＿ＢＳに送信した後、前記ＩＷＳ−１ｘ＿ＢＳは前記メッセージによりページング応答メッセージをセットアップし、それを完全レイヤー３の情報メッセージの中に置き、前記ＭＳＣに送信し、前記ＭＳ／ＡＴと前記ＭＳＣは、前記ＭＳ／ＡＴに関する１ｘ上でのコールセットアッププロセスをスタートするステップと、を含むことを特徴とする高速パケット・データ・ネットワークにおいて１ｘネットワークからのページングを伝送する方法。
【請求項９】
さらに、ステップ［Ｇ］  前記ＩＷＳ−１ｘ＿ＢＳは、Ａ２１インタフェース・イベント通知メッセージをソースＰＣＦに送信し、且つ前記ソースＰＣＦから返信された確認メッセージを受信する、というステップを含むことを特徴とする請求項８に記載の、高速パケット・データ・ネットワークにおいて１ｘネットワークからのページングを伝送する方法。
【請求項１０】
前記ステップ［Ｃ］において、前記Ａ１３−ページング請求メッセージは、その他の新しく定義されたメッセージであり、前記新しいメッセージはソースＰＣＦが目標ＰＣＦに要請して前記ＭＳ／ＡＴのページングの完成に協力させる機能を満たし、これに対するＡ１３−ページング応答メッセージは対応する新しく定義されたメッセージであることを特徴とする請求項８に記載の、高速パケット・データ・ネットワークにおいて１ｘネットワークからのページングを伝送する方法。
【請求項１１】
前記ステップ［Ｃ］において、前記Ａ１３−ページング請求メッセージは、目標ＡＮのページングエリアの確定に必要な前期ＭＳ／ＡＴの関連会話情報と、前記１ｘからのページング制御メッセージを含むことを特徴とする請求項８に記載の、高速パケット・データ・ネットワークにおいて１ｘネットワークからのページングを伝送する方法。
【請求項１２】
前記ステップ［Ｃ］において、前記Ａ１３−ページング請求メッセージは、更にソースＡＮのページング送信時間情報を含むことを特徴とする請求項１１に記載の、高速パケット・データ・ネットワークにおいて１ｘネットワークからのページングを伝送する方法。
【請求項１３】
前記目標ＰＣＦは、前記ＨＲＰＤシステムの１つ或は複数のＰＣＦであることを特徴とする請求項８乃至１２の何れか一項に記載の、高速パケット・データ・ネットワークにおいて１ｘネットワークからのページングを伝送する方法。
【発明の詳細な説明】
【技術分野】
【０００１】
本発明は通信分野のＨＲＰＤネットワーク（高速パケット・データ・ネットワーク）と１ｘネットワーク（３Ｇ＿１ｘ、或はＣＤＭＡ２０００＿１ｘとも称し、ＣＤＭＡ２０００単一搬送波ネットワークを指す。以下、単に「１ｘ」という）との間の相互接続操作に係り、特に、ＳＣ／ＭＭ（Ｓｅｓｓｉｏｎ＿Ｃｏｎｔｒｏｌ／Ｍｏｂｉｌｉｔｙ＿Ｍａｎａｇｅｍｅｎｔ、セッション接続制御／移動管理）がＨＲＰＤシステムのＰＣＦ（Ｐａｃｋｅｔ＿Ｃｏｎｔｒｏｌ＿Ｆｕｎｃｔｉｏｎ、パケット制御機能、以下、ＨＲＰＤ＿ＰＣＦという）に属する場合について、ＨＲＰＤネットワークと１ｘネットワークの双方にカバーされるエリアにおいて１ｘネットワークからの携帯電話のページングを適時及び効率的にＨＲＰＤシステムの中で伝送する方法に関する。
【背景技術】
【０００２】
従来、ＨＲＰＤネットワークと１ｘネットワークとの間の相互接続操作に関して、特に、１ｘネットワークからの携帯電話をハンドオフするためのページングをＨＲＰＤシステムの中で伝送する場合、以下のような方法を採用している。
【０００３】
ＩＷＳ（Ｉｎｔｅｒ−Ｗｏｒｋｉｎｇ＿Ｓｏｌｕｔｉｏｎ、上記両ネットワーク間のメッセージ様式の相互変換機能）がＨＲＰＤ−ＰＣＦに属する場合、当該フローの詳細は図１の通りである。
【０００４】
［１０１］  ＭＳＣ（Ｍｏｂｉｌｅ＿Ｓｗｉｔｃｈｉｎｇ＿Ｃｅｎｔｅｒ、１ｘの移動交換局）は、そのサービスエリアにあるＭＳ／ＡＴ（デュアル・モード端末、即ち、１ｘにおけるＭＳ（移動端末）兼ＨＲＰＤにおけるＡＴ（アクセス端末）、上記携帯電話を含む）からの発信音声コールを発見する。
ＭＳＣは直ちに、ＨＲＰＤ＿ＰＣＦ及びＨＲＰＤ＿ＡＮ（アクセス・ネットワーク）ページングエリアの、ＭＳ／ＡＴがアクセスできる１つ或は複数の１ｘ＿ＢＳ（１ｘの基地局）にページング請求（Ｐａｇｉｎｇ＿Ｒｅｑｕｅｓｔ）メッセージを送信する。
ＭＳＣは各ページング請求メッセージのために一つのタイマーＴ３１１３をスタートさせる。前記ページング請求メッセージは、１ｘ＿ＢＳがＭＳ／ＡＴからのページング応答（Ｐａｇｉｎｇ＿Ｒｅｓｐｏｎｓｅ）メッセージを受信するように準備すべきことを示す一つの「仮想ページング指示（ＶＰＩ）」を含むことができる。
［１０２］  ＨＲＰＤ＿ＰＣＦは、ＨＲＰＤ＿ＡＮに対して、Ａ１４−１ｘサービス・ページング（Ａ１４−１ｘ＿Ｓｅｒｖｉｃｅ＿Ｐａｇｉｎｇ）・メッセージを送信し、タイマーＴ１ｘｓｐ１４をスタートさせる。当該メッセージはジェネラル・ページング・メッセージ（Ｇｅｎｅｒａｌ＿Ｐａｇｉｎｇ＿ｍｅｓｓａｇｅ）を含む。
［１０３］  ＨＲＰＤ＿ＡＮは、ＰＣＦに対して、Ａ１４−１ｘサービス・ページング確認（Ａ１４−１ｘ＿Ｓｅｒｖｉｃｅ＿Ｐａｇｅ＿Ａｃｋ）メッセージを送信し、タイマーＴ１ｘｓｐ１４をストップする。
［１０４］  ＨＲＰＤ＿ＡＮは、ＭＳ／ＡＴにジェネラル・ページング・メッセージを送信する。
［１０５］  ＭＳ／ＡＴは、１ｘシステムに合わせて（ｔｕｎｅｄ）、１ｘアクセス・チャンネルを通じてページング応答メッセージ（Ｐａｇｉｎｇ＿Ｒｅｓｐｏｎｓｅ＿Ｍｅｓｓａｇｅ）を１ｘ＿ＢＳに対して送信する。
［１０６］  １ｘ＿ＢＳは、前記ページング応答メッセージによりページング応答メッセージ（Ｐａｇｉｎｇ＿Ｒｅｓｐｏｎｓｅ＿Ｍｅｓｓａｇｅ）をセットアップし、それを完全レイヤー３の情報メッセージ（Ｃｏｍｐｌｅｔｅ＿Ｌ３＿Ｉｎｆｏｒｍａｔｉｏｎ＿Ｍｅｓｓａｇｅ）に置き、ＭＳＣに送信する。
ページング請求メッセージの中に「タグ（Ｔａｇ、Ｔａｇ＿ＩＥ）」情報ユニットが含まれていた場合、１ｘ＿ＢＳは当該情報ユニットをページング応答メッセージの中に含める。これにより、ＭＳ／ＡＴはデフォルトで１ｘシステムに登録される。
ＭＳＣは全ての当該ＭＳ／ＡＴに対応するタイマーＴ３１１３をストップする。
［１０７］  ＭＳ／ＡＴとＭＳＣは、当該ＭＳ／ＡＴ（例えば、ＭＴ（移動ステーション））に関する１ｘ上でのコール・セットアッププロセスを続ける。
［１０８］  ＭＳＣは、「クロス通知（Ｃｒｏｓｓ＿Ｎｏｔｉｆｉｃａｔｉｏｎ）」サービス機能に加入契約しているＭＳ／ＡＴが既に１ｘシステムに登録したことを確定し、ＨＲＰＤ＿ＡＮに、その登録イベントを含む「イベント通知（Ｅｖｅｎｔ＿Ｎｏｔｉｆｉｃａｔｉｏｎ）」メッセージを送信し、タイマーＴｅｖｅｎｔをスタートする。当該ステップはステップ［１０５］以降の如何なるタイミングにおいても発生できる。
［１０９］  「イベント通知」メッセージを受信すると、ＨＲＰＤ＿ＡＮは、ＭＳＣに「イベント確認通知」メッセージを応答する。当該メッセージを受信した後、ＭＳＣはタイマーＴｅｖｅｎｔをストップする。
【０００５】
次に、ＩＷＳがＨＲＰＤ−ＰＣＦにではなく、１ｘ＿ＢＳに属する場合、当該フローの詳細は以下の図２に示す通りである。（従って、ここでは、１ｘ＿ＢＳのＩＷＳ機能部分を、ＩＷＳ−１ｘ＿ＢＳと記す）
【０００６】
［２０１］  ＭＳＣは、そのサービスエリア内のＭＳ／ＡＴ宛の着信音声コールがあることを確定する。ＭＳＣはＩＷＳ−１ｘ＿ＢＳにページング請求メッセージを送信し、一つのタイマーＴ３１１３をスタートする。当該メッセージはコールの発信者の情報を含み、また、１ｘ＿ＢＳがＭＳ／ＡＴからのページング応答メッセージを受信するように準備すべきことを示す一つの「仮想ページング指示」を含む。
［２０２］  ＩＷＳ−１ｘ＿ＢＳは、一つの１ｘジェネラル・ページング・メッセージを生成し、それを封入したＡ２１インタフェースの空中インタフェース信号伝達メッセージ（Ａ２１−１ｘ＿Ａｉｒ＿Ｉｎｔｅｒｆａｃｅ＿Ｓｉｇｎａｌｉｎｇ）をＨＲＰＤ＿ＰＣＦに送信する。ＩＷＳ−１ｘ＿ＢＳはタイマーＴａｃｋ２１をスタートする。
［２０３］  ＨＲＰＤ＿ＰＣＦは、Ａ２１インタフェース確認メッセージ（Ａ２１−Ａｃｋ）をＩＷＳ−１ｘ＿ＢＳに送信する。ＩＷＳ−１ｘ＿ＢＳはタイマーＴａｃｋ２１をストップする。
［２０４］  ＨＲＰＤ＿ＰＣＦは、Ａ１４−１ｘサービス・ページング・メッセージをＨＲＰＤ＿ＡＮに送信し、タイマーＴ１ｘｓｐ１４をスタートする。当該メッセージはジェネラル・ページング・メッセージを含む。
［２０５］  ＨＲＰＤ＿ＡＮは、Ａ１４−１ｘサービス・ページング確認メッセージをＨＲＰＤ＿ＰＣＦに送信する。ＨＲＰＤ＿ＰＣＦはタイマーＴ１ｘｓｐ１４をストップする。
［２０６］  ＨＲＰＤ＿ＡＮは、ジェネラル・ページング・メッセージをＭＳ／ＡＴに送信する。ステップ［２０１］において、ＭＳＣがコールの発信者情報を含めていた場合、ＨＲＰＤ＿ＡＮは同一のＨＲＰＤメッセージの中に当該コールの発信者情報を持つＦＮメッセージ（特徴通知メッセージ）を含める。
［２０７］  ＭＳ／ＡＴは、１ｘシステムに合わせて、ページング応答メッセージをＩＷＳ−１ｘ＿ＢＳに対して送信することにより、ページング・メッセージを受信したことを確認する。
［２０８］  ＩＷＳ−１ｘ＿ＢＳは、ページング応答メッセージをセットアップし、それを完全レイヤー３の情報メッセージに置き、ＭＳＣに送信する。ページング請求メッセージに「タグ（Ｔａｇ）」情報ユニットが含まれると、ＩＷＳ−１ｘ＿ＢＳはページング応答メッセージの中に当該情報ユニットを含める。ＭＳＣは全てのタイマーＴ３１１３をストップする。
［２０９］  ＭＳ／ＡＴとＭＳＣは、当該ＭＳ／ＡＴに関する１ｘ上でのコールセットアッププロセスを続ける。
［２１０］  当該ＭＳ／ＡＴが１ｘネットワーク上で動作していることを示すために、ＩＷＳ−１ｘ＿ＢＳは、Ａ２１イベント通知メッセージをＨＲＰＤ＿ＰＣＦに送信して、且つ、Ｔａｃｋ２１をスタートする。当該ステップはステップ［２０７］以降の如何なるタイミングにおいても発生できる。
［２１１］  「Ａ２１イベント通知」メッセージを受信すると、ＨＲＰＤ＿ＰＣＦは、Ａ２１インタフェース確認メッセージを返信する。ＩＷＳ−１ｘ＿ＢＳは当該メッセージを受信した後、タイマーＴａｃｋ２１をストップする。
【０００７】
上記のフローでは、いずれも、ＭＳ／ＡＴがＨＲＰＤシステムと１ｘネットワークの双方にカバーされるエリアに存在する場合、如何にしてＭＳＣが、１ｘシステムからの音声ページングを、ＨＲＰＤシステムの空中インタフェースを通じてＭＳ／ＡＴ（携帯電話）に送信し、ＭＳ／ＡＴが１ｘシステムに合わせて、対応サービスをＭＳＣとの間でセットアップするかについて説明した。
【０００８】
但し、休止モード或はスリープモードでのＭＳ／ＡＴがＡＮ境界に存在する場合、複数個のＨＲＰＤのＡＮが関係してくる。ＭＳ／ＡＴが境界で移動するにつれ、異なるＡＮの間に、繰り返して登録するピンポン現象という現象を発生する。このピンポン現象を有効に抑制または減少し、異なるマルチＡＮ境界エリアでのページング・メカニズムを促進し、ＭＳ／ＡＴに対するページング成功率を上げるために、従来技術によるＨＲＰＤの空中インタフェースは第二カラー・コード（Ｓｅｃｏｎｄａｒｙ＿Ｃｏｌｏｒ＿Ｃｏｄｅ）・メカニズムを定義し、一つのＡＮがその他のＡＮサービスエリアでのＭＳ／ＡＴをページングする能力を確保できる。当該技術は既にＨＲＰＤネットワークが立ち上げたパケット・データ・サービスにおいて使用されていたが、ＨＲＰＤネットワークの中での１ｘからの音声サービス・ページングの伝送には適用されていない。特に、ＭＳ／ＡＴがＨＲＰＤマルチＡＮ境界エリアにおいて、ＨＲＰＤネットワークの中で１ｘからの音声サービス・ページングを効率的に伝送することは、今までアクセス・ネットワークの技術でまだ解決できていない。
【０００９】
以上の従来技術に係る説明の詳細と本願で用いる技術用語の定義は、基本的に非特許文献１に基づく。
【先行技術文献】
【非特許文献】
【００１０】
【非特許文献１】３ＧＰＰ２／Ａ．Ｓ０００８−Ａ
【発明の概要】
【発明が解決しようとする課題】
【００１１】
本発明が解決しようとする技術的課題は、ＨＲＰＤシステムと１ｘネットワークの双方によりカバーされる環境下で、１ｘからの音声サービス・ページングの伝送サービスの中で、休止モード或はスリープモードでのＭＳ／ＡＴが、ＨＲＰＤのマルチＡＮ境界エリアで１ｘネットワークからのサービス・ページングを効率的に受信し、ＨＲＰＤネットワークと１ｘネットワークとの相互接続操作性を向上することである。
【課題を解決するための手段】
【００１２】
本発明は以下の技術方案を採用する。
ＨＲＰＤにおいて１ｘネットワークからのページングを伝送する方法であって、ＩＷＳがＨＲＰＤ−ＰＣＦ内に設けられている場合、以下の手順を含む。
［ａ］  ＭＳＣは、ＨＲＰＤのソースＰＣＦ、及びそのソースＡＮのページングエリア内のＭＳ／ＡＴがアクセスできる一つ或は複数の１ｘ＿ＢＳに、ページング請求メッセージを送信する。
［ｂ］  ソースＰＣＦは、Ａ１４−１ｘサービス・ページング・メッセージをソースＡＮに送信し、その戻りのＡ１４−１ｘサービス・ページング確認メッセージを受信する。
［ｃ］  ソースＰＣＦは、Ａ１３−ページング請求メッセージを目標ＰＣＦに送信し、その戻りのＡ１３−ページング応答メッセージを受信する。
［ｄ］  目標ＰＣＦは、Ａ１４−１ｘサービス・ページング・メッセージを目標ＡＮに送信し、その戻りの確認メッセージを受信する。
［ｅ］  ソースＡＮと目標ＡＮは、それぞれ、ＭＳ／ＡＴにページング・メッセージを送信する。
［ｆ］  ＭＳ／ＡＴは、空中インタフェースのページング応答メッセージを１ｘ＿ＢＳに送信する。１ｘ＿ＢＳは当該メッセージによりページング応答メッセージをセットアップし、それを完全レイヤー３の情報メッセージに置いてＭＳＣに送信し、ＭＳＣとＭＳ／ＡＴは、当該ＭＳ／ＡＴ（例えば、移動ステーション）に関する１ｘ上でのコールセットアッププロセスをスタートする。
【００１３】
好ましくは、さらに、［ｇ］  ＭＳＣは、ソースＰＣＦに登録イベントを含むイベント通知メッセージを送信し、ソースＰＣＦより戻されたイベント通知確認メッセージを受信する、というステップを含むことができる。
【００１４】
好ましくは、前記ソースＰＣＦは、前記ＭＳ／ＡＴが登録され、且つ前記ＭＳ／ＡＴの登録が更新されたＭＳＣと接続するＨＲＰＤ−ＰＣＦであり、前記ソースＡＮは前記ソースＰＣＦと対応するＡＮであり、前記目標ＰＣＦは前記ソースＰＣＦと境界を接する他のＰＣＦであり、前記目標ＡＮは前記目標ＰＣＦと対応するＡＮである。
【００１５】
好ましくは、ステップ［ｃ］の中で述べられたＡ１３−ページング請求メッセージは、その他の新しく定義されたメッセージである。当該新しいメッセージは、ソースＰＣＦが目標ＰＣＦに要請してＭＳ／ＡＴのページングの完成に協力させる機能を満たし、これに対するＡ１３−ページング応答メッセージは対応する新しく定義されたメッセージである。
【００１６】
好ましくは、ステップ［ｃ］の中に述べられたＡ１３−ページング請求メッセージは、目標ＡＮのページングエリアなどの確定に必要な当該ＭＳ／ＡＴの関連会話情報と、１ｘからのページング制御メッセージを含み、さらに、ソースＡＮのページング送信時間情報を含む。
【００１７】
好ましくは、前記の目標ＰＣＦはＨＲＰＤの１つ或は複数のＰＣＦである。
【００１８】
ＨＲＰＤネットワークにおいて１ｘネットワークからのページングを伝送する方法として、ＩＷＳが１ｘ＿ＢＳに属する場合、以下のステップを含む。
［Ａ］  ＭＳＣは、ページング請求メッセージをＩＷＳ−１ｘ＿ＢＳに送信する。
［Ｂ］  ＩＷＳ−１ｘ＿ＢＳは、ソースＰＣＦに１ｘジェネラル・ページングメッセージを含むＡ２１−１ｘ空中インタフェース信号伝達メッセージを送信し、その戻りの確認メッセージを受信する。
［Ｃ］  ソースＰＣＦは、Ａ１３−ページング請求メッセージを目標ＰＣＦに送信し、その戻りのＡ１３−ページング応答メッセージを受信する。
［Ｄ］  ソースＰＣＦと目標ＰＣＦは、それぞれ、ソースＡＮと目標ＡＮに、Ａ１４−１ｘサービス・ページング・メッセージを送信し、相手側からの戻りの確認メッセージをそれぞれ受信する。
［Ｅ］  ソースＡＮと目標ＡＮは、それぞれ、ＭＳ／ＡＴにジェネラル・ページング・メッセージを送信する。
［Ｆ］  ＭＳ／ＡＴは空中インタフェースのページング応答メッセージをＩＷＳ−１ｘ＿ＢＳに送信する。次に、ＩＷＳ−１ｘ＿ＢＳは当該メッセージによりページング応答メッセージをセットアップし、それを完全レイヤー３の情報メッセージに置き、ＭＳＣに送信する。ＭＳ／ＡＴとＭＳＣは、当該ＭＳ／ＡＴ（例えば、移動ステーション）に関する１ｘ上でのコールセットアッププロセスをスタートする。
【００１９】
好ましくは、さらに、［Ｇ］  ＩＷＳ−１ｘ＿ＢＳは、Ａ２１インタフェース・イベント通知メッセージをソースＰＣＦに送信し、その戻りの確認メッセージを受信する、というステップを含むことができる。
【００２０】
好ましくは、前記のステップ［Ｃ］の中で述べられたＡ１３−ページング請求メッセージは、その他の新しく定義されたメッセージである。当該新しいメッセージはソースＰＣＦが目標ＰＣＦに要請してＭＳ／ＡＴ（例えば、デュアルモード端末）のページングの完成に協力させる機能を満たし、これに対するＡ１３−ページング応答メッセージは対応の新しく定義されたメッセージである。
【００２１】
好ましくは、前記のステップ［Ｃ］の中で述べられたＡ１３−ページング請求メッセージは、目標ＡＮのページングエリアなどの確定に必要な当該ＭＳ／ＡＴの関連会話情報と、１ｘからのページング制御メッセージを含む。
【００２２】
好ましくは、ソースＡＮのページング送信の時間情報を含む。
好ましくは、前記の目標ＰＣＦはＨＲＰＤの１つ或は複数のＰＣＦである。
【発明の効果】
【００２３】
本発明は以下の有利な効果がある。
本発明に前記の方法が採用されることによって、マルチＡＮ境界のＭＳ／ＡＴに対して、１ｘネットワークからのサービスを受信することによってＨＲＰＤの空中インタフェースを通じてチャンネルを制御するページング機会を増加し、１ｘネットワークからのサービスがＨＲＰＤシステムのＭＳ／ＡＴに適時及び正確的に伝送されることを確保し、ダブル・ネットワークの運営能力を強化した。
【図面の簡単な説明】
【００２４】
【図１】は従来技術に係り、ＳＣ／ＭＭとＩＷＳが共にＨＲＰＤ＿ＰＣＦに属する場合、ＨＲＰＤネットワークで１ｘページングを伝送する方法のフローチャートである。
【図２】は従来技術に係り、ＳＣ／ＭＭがＨＲＰＤ＿ＰＣＦに、ＩＷＳが１ｘ＿ＢＳに属する場合、ＨＲＰＤネットワークで１ｘページングを伝送する方法のフロー図である。
【図３】は本発明に係り、ＳＣ／ＭＭとＩＷＳが共にＨＲＰＤ＿ＰＣＦに属する場合、Ｓｅｃｏｎｄａｒｙ＿Ｃｏｌｏｒ＿Ｃｏｄｅに基づく、ＨＲＰＤネットワークの中で１ｘページングを伝送する第１の方法のフローチャートである。
【図４】は本発明に係り、ＳＣ／ＭＭとＩＷＳが共にＨＲＰＤ＿ＰＣＦに属する場合、Ｓｅｃｏｎｄａｒｙ＿Ｃｏｌｏｒ＿Ｃｏｄｅに基づく、ＨＲＰＤネットワークの中で１ｘページングを伝送する第２の方法のフローチャートである。
【発明を実施するための形態】
【００２５】
以下、図面と具体的な実施形態に基づいて、本発明に対して更に詳しく説明する。
【００２６】
本発明によれば、第二カラー・コード（Ｓｅｃｏｎｄａｒｙ＿Ｃｏｌｏｒ＿Ｃｏｄｅ）・メカニズムを、ＨＲＰＤネットワークの中で１ｘからの音声サービス・ページングを伝送するサービスに使用し、あるＭＳ／ＡＴが登録されたＡＮがその周辺の他のＡＮにＡ１３−ページング請求メッセージを送信し、これらのＡＮを通じて一括で当該ＭＳ／ＡＴ（携帯電話）をページングする。
【００２７】
ＨＲＰＤシステムと１ｘネットワークの双方によりカバーされる環境下で、ＭＳ／ＡＴが登録され、且つ当該ＭＳ／ＡＴの登録が更新されたＭＳＣと接続するＨＲＰＤ−ＰＣＦを、ソースＰＣＦとし、ソースＰＣＦに対応するＡＮをソースＡＮとし、ソースＰＣＦの境界での他のＰＣＦを目標ＰＣＦとし、目標ＰＣＦに対応するＡＮを目標ＡＮとする。
【００２８】
ＩＷＳがＨＲＰＤ−ＰＣＦに属する場合、以下のステップを含む。
【００２９】
［ａ］  ＭＳＣは、ＨＲＰＤのソースＰＣＦ及びそのソースＡＮページングエリア内のＭＳ／ＡＴがアクセスできる一つ或は複数の１ｘ＿ＢＳに、ページング請求メッセージを送信する。
［ｂ］  ソースＰＣＦは、Ａ１４−１ｘサービス・ページング・メッセージをソースＡＮに送信し、且つ、その返信されたＡ１４−１ｘサービス・ページング確認メッセージを受信する。
［ｃ］  ソースＰＣＦは、Ａ１３−ページング請求メッセージを目標ＰＣＦに送信し、且つ、その返信されたＡ１３−ページング応答メッセージを受信する。
［ｄ］  目標ＰＣＦは、Ａ１４−１ｘサービス・ページング・メッセージを目標ＡＮに送信し、且つ、その返信された確認メッセージを受信する。
［ｅ］  ソースＡＮと目標ＡＮは、それぞれ、ＭＳ／ＡＴにページング・メッセージを送信する。
［ｆ］  ＭＳ／ＡＴは、空中インタフェースのページング応答メッセージを１ｘ＿ＢＳに送信する。次に、１ｘ＿ＢＳは当該メッセージによりページング応答メッセージをセットアップし、それを完全レイヤー３の情報メッセージに置いてＭＳＣに送信する。ＭＳ／ＡＴとＭＳＣは、当該ＭＳ／ＡＴ（例えば、移動ステーション）に関する１ｘ上でのコールセットアッププロセスをスタートする。
［ｇ］  ＭＳＣは、ソースＰＣＦに登録イベントを含むイベント通知メッセージを送信し、ソースＰＣＦより返信されたイベント通知確認メッセージを受信する。
【００３０】
図３はＩＷＳがＨＲＰＤ−ＰＣＦに属する場合、当該方法の詳細な信号伝達フローを説明した図であり、以下のステップを含む。
【００３１】
［３０１］  ＭＳＣは、そのサービスエリアにあるＭＳ／ＡＴからの１つの音声コールを発見する。ＭＳＣは、ＨＲＰＤのソースＰＣＦ（ＨＲＰＤ＿ＳＲＣ−ＰＣＦ）及びソースＡＮページングエリア内のＭＳ／ＡＴがアクセスできる１つ或は複数の１ｘ＿ＢＳに、ページング請求メッセージを送信する。
ＭＳＣは各ページング請求メッセージのために１つのタイマーＴ３１１３をスタートする。前記ページング請求メッセージは１ｘ＿ＢＳがＭＳ／ＡＴからのページング応答メッセージを受信するように準備すべきことを示す１つの「仮想ページング指示」を含む。
［３０２］  ＨＲＰＤのソースＰＣＦは、ソースＡＮ（ＨＲＰＤ＿ＳＲＣ−ＡＮ）に対してＡ１４−１ｘサービス・ページング・メッセージを送信し、タイマーＴ１ｘｓｐ１４をスタートする。当該メッセージはジェネラル・ページング・メッセージを含む。
［３０３］  ＨＲＰＤのソースＡＮは、ソースＰＣＦにＡ１４−１ｘサービス・ページング確認メッセージを送信し、且つ、タイマーＴ１ｘｓｐ１４をストップする。
［３０４］  ソースＰＣＦは、目標ＡＮ（ＨＲＰＤ＿ＴＧＴ−ＡＮ）のページングエリアが当該ＭＳ／ＡＴ（例えば、一部のＲＴ（Ｒａｄｉｏ＿Ｔｒａｎｓｃｅｉｖｅｒ、無線トランシーバー））をカバーすべきであることを決定する。
次に、ソースＰＣＦは、Ａ１３−ページング請求メッセージを目標ＰＣＦ（ＨＲＰＤ＿ＴＧＴ−ＰＣＦ）に送信し、かつ、タイマーＴｐｒｅｑ−１３をスタートする。当該メッセージは目標ＡＮのページングエリアなどの確定に必要な当該ＭＳ／ＡＴの関連会話情報を含み、１ｘからのページング制御メッセージをも伴う。当該メッセージはソースＡＮのページング送信時間を含んでも良い。目標ＡＮ及び目標ＰＣＦが同一のＳＬＯＴでページングを送信できれば、ＭＳ／ＡＴのページングを逸する可能性を減らすことができる。ここで、目標ＰＣＦは複数であっても良いが、本実施例の場合１つだけを表示する。
［３０５］  目標ＰＣＦは、Ａ１３−ページング応答メッセージをソースＰＣＦに送信する。当該メッセージを受信した後、ソースＰＣＦは対応のタイマーＴｐｒｅｑ−１３をストップする。
前記Ａ１３−ページング請求メッセージは、その他の新しく定義されたメッセージであっても良い。当該新しいメッセージは、ソースＰＣＦが目標ＰＣＦに要請してＭＳ／ＡＴ（例えば、デュアルモード端末）のページングの完成に協力させる機能を満たし、これに対するＡ１３−ページング応答メッセージは対応する新しく定義されたメッセージであっても良い。
［３０６］  ＨＲＰＤの目標ＰＣＦは、Ａ１４−１ｘサービス・ページング・メッセージを目標ＡＮに送信し、且つ、タイマーＴ１ｘｓｐ１４をスタートする。当該メッセージはジェネラル・ページング・メッセージを含む。
［３０７］  ＨＲＰＤの目標ＡＮは、目標ＰＣＦにＡ１４−１ｘサービス・ページング確認メッセージを送信し、目標ＰＣＦは、タイマーＴ１ｘｓｐ１４をストップする。
［３０８］  ＨＲＰＤのソースＡＮと目標ＡＮは、それぞれ、コントロール・チャンネルを使ってＭＳ／ＡＴにジェネラル・ページング・メッセージ（ＧＰＭ）を送信する。
［３０９］  ＭＳ／ＡＴは、１ｘシステムに合わせて、１ｘアクセス・チャンネルを通じてページング応答メッセージを１ｘ＿ＢＳに送信する。
［３１０］  １ｘ＿ＢＳは、前記メッセージによりページング応答メッセージをセットアップし、それを完全レイヤー３の情報メッセージに置き、ＭＳＣに送信する。ページング請求メッセージの中に「タグ（Ｔａｇ）」情報ユニットが含まれていた場合、１ｘ＿ＢＳは当該情報ユニットをページング応答メッセージの中に含める。これにより、ＭＳ／ＡＴはデフォルトで１ｘシステムに登録される。
ＭＳＣは全ての当該ＭＳ／ＡＴに対応するタイマーＴ３１１３をストップする。
［３１１］  ＭＳ／ＡＴとＭＳＣは、当該ＭＳ／ＡＴ（例えば、移動ステーション）に関する１ｘ上でのコールセットアッププロセスを続ける。
［３１２］  ＭＳＣは、「クロス通知」サービス機能に加入契約しているＭＳ／ＡＴが既に１ｘシステムに登録したことを確定し、ＨＲＰＤ＿ＳＲＣ−ＰＣＦに、その登録イベントを含む「イベント通知」メッセージを送信し、且つ、タイマーＴｅｖｅｎｔをスタートする。当該ステップはステップ［３１０］以降の如何なるタイミングにおいても発生できる。
［３１３］  「イベント通知」メッセージを受信すると、ＨＲＰＤ＿ＳＲＣ−ＰＣＦは、「イベント通知確認」メッセージをＭＳＣに送信する。当該メッセージを受信した後、ＭＳＣはタイマーＴｅｖｅｎｔをストップする。
【００３２】
次に、ＩＷＳがＨＲＰＤ−ＰＣＦにではなく、１ｘ＿ＢＳに属する場合、以下のステップを含む。（従って、ここでは、１ｘ＿ＢＳのＩＷＳ機能部分を、ＩＷＳ−１ｘ＿ＢＳと記す）
【００３３】
［Ａ］  ＭＳＣは、ページング請求メッセージをＩＷＳ−１ｘ＿ＢＳに送信する。
［Ｂ］  ＩＷＳ−１ｘ＿ＢＳは、ソースＰＣＦに１ｘジェネラル・ページングメッセージが封入されたＡ２１−１ｘ空中インタフェース信号伝達メッセージを送信し、且つ、その返信された確認メッセージを受信する。
［Ｃ］  ソースＰＣＦは、Ａ１３−ページング請求メッセージを目標ＰＣＦに送信し、且つ、その返信されたＡ１３−ページング応答メッセージを受信する。
［Ｄ］  ソースＰＣＦと目標ＰＣＦは、それぞれソースＡＮと目標ＡＮにＡ１４−１ｘサービス・ページング・メッセージを送信し、且つ、相手側から返信された確認メッセージをそれぞれ受信する。
［Ｅ］  ソースＡＮと目標ＡＮは、それぞれＭＳ／ＡＴにジェネラル・ページング・メッセージを送信する。
［Ｆ］  ＭＳ／ＡＴは、空中インタフェースのページング応答メッセージをＩＷＳ−１ｘ＿ＢＳに送信する。次に、ＩＷＳ−１ｘ＿ＢＳは当該メッセージによりページング応答メッセージをセットアップし、それを完全レイヤー３の情報メッセージに置き、ＭＳＣに送信し、ＭＳＣとＭＳ／ＡＴは、当該ＭＳ／ＡＴ（例えば、移動ステーション）に関する１ｘ上でのコールセットアッププロセスをスタートする。
［Ｇ］  ＩＷＳ−１ｘ＿は、ＢＳでＡ２１インタフェースイベント通知メッセージをソースＰＣＦに送信し、且つ、その返信された確認メッセージを受信する。
【００３４】
図４はＩＷＳが１ｘ＿ＢＳに属する場合、ＨＲＰＤネットワークで１ｘページングを伝送する方法フローを説明した図であり、以下のステップを含む。
【００３５】
［４０１］  ＭＳＣは、そのサービスエリア内のＭＳ／ＡＴ宛の着信音声コールがあることを確定する。ＭＳＣはＩＷＳ−１ｘ＿ＢＳにページング請求メッセージを送信し、一つのタイマーＴ３１１３をスタートする。当該メッセージはコールの発信者の情報を含み、更に、１ｘ＿ＢＳがＭＳ／ＡＴからのページング応答メッセージを受信するよう準備することを表す一つの「仮想ページング指示」を含んでも良い。
［４０２］  ＩＷＳ−１ｘ＿ＢＳは、一つの１ｘジェネラル・ページング・メッセージ（ＧＰＭ）を生成し、それをＡ２１インタフェースの空中インタフェース信号伝達メッセージの中に封入して、ＨＲＰＤのソースＰＣＦに送信する。ＩＷＳ−１Ｘ＿ＢＳはタイマーＴａｃｋ２１をスタートする。
［４０３］  ＨＲＰＤのソースＰＣＦは、Ａ２１確認メッセージをＩＷＳ−１ｘ＿ＢＳに送信する。ＩＷＳ−１ｘ＿ＢＳはタイマーＴａｃｋ２１をストップする。
［４０４］  ＨＲＰＤのソースＰＣＦは、Ａ１４−１ｘサービス・ページング・メッセージをＨＲＰＤのソースＡＮに送信し、タイマーＴ１ｘｓｐ１４をスタートする。当該メッセージはジェネラル・ページング・メッセージを含む。
［４０５］  ＨＲＰＤのソースＡＮは、Ａ１４−１ｘサービス・ページング確認メッセージをＨＲＰＤのソースＰＣＦに送信する。ＨＲＰＤのソースＰＣＦはタイマーＴ１ｘｓｐ１４をストップする。
［４０６］  ソースＰＣＦは目標ＡＮのページングエリアが当該ＭＳ／ＡＴ（例えば、一部のＲＴ）をカバーすべきであることを決定する。
次に、ソースＰＣＦはＡ１３−ページング請求メッセージを目標ＰＣＦに送信し、且つ、タイマーＴｐｒｅｑ−１３をスタートする。当該メッセージは目標ＡＮのページングエリアなどの確定に必要な当該ＭＳ／ＡＴの関連会話情報を含む。当該メッセージは１ｘからのページング制御メッセージを含んでも良く、更にソースＡＮのページング送信時間を含んでも良い。目標ＡＮ及び目標ＰＣＦが同一のＳＬＯＴでページングを送信できれば、ＭＳ／ＡＴのページングを逸する可能性を減らすことができる。ここで、ソースＰＣＦは当該メッセージを複数の目標ＰＣＦに送信できる。
［４０７］  目標ＰＣＦは、Ａ１３−ページング応答メッセージをソースＰＣＦに送信する。当該メッセージを受信した後、ソースＰＣＦはタイマーＴｐｒｅｑ−１３をストップする。
前記Ａ１３−ページング請求メッセージはその他の新しく定義されたメッセージであっても良い。当該新しいメッセージはソースＰＣＦが目標ＰＣＦに要請してＭＳ／ＡＴ（例えば、デュアルモード端末）のページングの完成に協力させる機能を満たし、これに対するＡ１３−ページング応答メッセージは対応する新しく定義されたメッセージであっても良い。
［４０８］  ＨＲＰＤの目標ＰＣＦは、Ａ１４−１ｘサービス・ページング・メッセージをＨＲＰＤの目標ＡＮに送信し、且つ、タイマーＴ１ｘｓｐ１４をスタートする。当該メッセージはジェネラル・ページング・メッセージを含む。
［４０９］  ＨＲＰＤの目標ＡＮは、Ａ１４−１ｘサービス・ページング確認メッセージをＨＲＰＤの目標ＰＣＦに送信する。ＨＲＰＤの目標ＰＣＦはタイマーＴ１ｘｓｐ１４をストップする。
［４１０］  ＨＲＰＤの目標ＡＮとソースＡＮは、それぞれ、ジェネラル・ページング・メッセージ（ＧＰＭ）をＭＳ／ＡＴに送信する。
ステップ［４０１］において、ＭＳＣが、ＩＷＳ−１ｘ＿ＢＳに対するページング請求メッセージに、コールの発信者情報を含めていた場合、ＨＲＰＤ＿ＡＮは同一のＨＲＰＤメッセージの中に当該コールの発信者情報を持つＦＮメッセージを含める。
［４１１］  ＭＳ／ＡＴは、１ｘシステムに合わせて、ページング応答メッセージをＩＷＳ−１ｘ＿ＢＳに対して送信することにより、ページング情報を受信したことを確認する。
［４１２］  ＩＷＳ−１ｘ＿ＢＳは、前記のメッセージによりページング応答メッセージをセットアップし、それを完全レイヤー３の情報メッセージに置き、ＭＳＣに送信する。ページング請求メッセージは「タグ（Ｔａｇ）」情報ユニットを含む場合、ＩＷＳ−１ｘ＿ＢＳはページング応答メッセージの中に当該情報ユニットを含める。ＭＳＣは全てのタイマーＴ３１１３をストップする。
［４１３］  ＭＳ／ＡＴとＭＳＣは、当該ＭＳ／ＡＴ（例えば、携帯電話）に関する１ｘ上でのコールセットアップフローを続ける。
［４１４］  ＩＷＳ−１ｘ＿ＢＳは、Ａ２１イベント通知メッセージをＨＲＰＤのソースＰＣＦに送信して当該ＭＳ／ＡＴが１ｘネットワーク上で動作していることを示し、Ｔａｃｋ２１をスタートする。当該ステップはステップ［４１２］以降の如何なるタイミングにおいても発生できる。
［４１５］  ＨＲＰＤ＿ＰＣＦはＡ２１インタフェース確認メッセージを返信する。ＩＷＳ−１ｘ＿ＢＳは当該メッセージを受信した後、タイマーＴａｃｋ２１をストップする。
【００３６】
前記の内容はただ本発明の好ましい実施例であり、本発明を不当に限定するものではない。本技術分野の技術者にとって、本発明の主旨を逸脱しない範囲内で種々変更して実施することが可能である。本発明の目的と原則の範囲内に入っている限り、行った如何なる修正、同等の引き換え、または改良などが、全て本発明の保護範囲に含まれるべきである。
【符号の説明】
【００３７】
（１）ＨＲＰＤ    高速パケット・データ・ネットワーク、特に、非特許文献１によりＩＳ−８５６として国際標準化されたもの
（２）１ｘ    ３Ｇ＿１ｘ、或はＣＤＭＡ２０００＿１ｘとも称し、ＣＤＭＡ２０００単一搬送波ネットワークである。
（３）ＭＳ／ＡＴ    デュアルモード端末。ＨＲＰＤネットワークと３Ｇ＿１ｘネットワークの中で動作できる。３Ｇ＿１ｘネットワークでの端末としては、ＭＳ（Ｍｏｂｉｌｅ＿Ｓｔａｔｉｏｎ、移動局）をいい、ＨＲＰＤネットワークでの端末としては、ＡＴ（Ａｃｃｅｓｓ＿Ｔｅｒｍｉｎａｌ、アクセス端末）をいう。
（４）ＨＲＰＤ＿ＡＮ    ＨＲＰＤシステムのアクセス・ネットワーク（Ａｃｃｅｓｓ＿Ｎｅｔｗｏｒｋ）。それは無線アクセス・ネットワークの中に集積する１つの論理的実体で、関係する端末との無線通信を行う。
（５）ＰＣＦ    Ｐａｃｋｅｔ＿Ｃｏｎｔｒｏｌ＿Ｆｕｎｃｔｉｏｎ、パケット制御機能
（６）１ｘ＿ＢＳ    ３Ｇ＿１ｘネットワークの基地局
（７）ＭＳＣ    Ｍｏｂｉｌｅ＿Ｓｗｉｔｃｈｉｎｇ＿Ｃｅｎｔｅｒ、１ｘネットワークの移動交換局。
（８）ＩＷＳ    Ｉｎｔｅｒ−Ｗｏｒｋｉｎｇ  Ｓｏｌｕｔｉｏｎ、ＨＲＰＤネットワークと１ｘネットワーク間のメッセージ様式の相互変換機能
（９）ＩＷＳ−１ｘ＿ＢＳ    ＩＷＳが１ｘ＿ＢＳに属する場合の、１ｘ＿ＢＳのＩＷＳ機能部分
（１０）Ｓｅｃｏｎｄａｒｙ＿Ｃｏｌｏｒ＿Ｃｏｄｅ    第二カラー・コード
（１１）Ａ２１    Ａ２１インタフェース。それはＨＲＰＤのＡＮと１ｘ＿ＢＳとのインタフェースである。
（１２）Ａ１３    Ａ１３インタフェース。それはＨＲＰＤのＡＮ間のインタフェースである。
（１３）Ａ１４    Ａ１４インタフェース。それはＨＲＰＤのＡＮとＰＣＦとのインタフェースである。
（１４）Ｐａｇｉｎｇ＿Ｒｅｑｕｅｓｔ    ページング請求メッセージ
（１５）ＧＰＭ    Ｇｅｎｅｒａｌ＿Ｐａｇｉｎｇ＿Ｍｅｓｓａｇｅ、ジェネラル・ページング・メッセージ
（１６）ＦＮ    Ｆｅａｔｕｒｅ＿Ｎｏｔｉｆｉｃａｔｉｏｎ、特徴通知メッセージ
（１７）Ｐａｇｅ＿Ｒｅｓｐｏｎｓｅ＿ｍｅｓｓａｇｅ    ページング応答メッセージ
（１８）Ｃｏｍｐｌｅｔｅ＿Ｌ３＿Ｉｎｆｏ    完全レイヤー３の情報メッセージ
（１９）Ｅｖｅｎｔ＿Ｎｏｔｉｆｉｃａｔｉｏｎ    イベント通知メッセージ
（２０）Ｅｖｅｎｔ＿Ｎｏｔｉｆｉｃａｔｉｏｎ＿Ａｃｋ    イベント通知確認メッセージ
（２１）１ｘ＿ＭＴ＿Ｃａｌｌ＿Ｓｅｔｕｐ＿Ｐｒｏｃｅｓｓ    １ｘネットワークでの、携帯電話を含むＭＴ（移動端末）＝ＭＳ／ＡＴの、コールセットアッププロセス
（２２）Ａ２１−１ｘ＿Ａｉｒ＿Ｉｎｔｅｒｆａｃｅ＿Ｓｉｇｎａｌｉｎｇ    Ａ２１インタフェースの空中インタフェース信号伝達メッセージ
（２３）Ａ２１−Ａｃｋ    Ａ２１インタフェース確認メッセージ
（２４）Ａ１４−１ｘ＿Ｓｅｒｖｉｃｅ＿Ｐａｇｅ    Ａ１４−１ｘサービス・ページング
（２５）Ａ１４−１ｘ＿Ｓｅｒｖｉｃｅ＿Ｐａｇｅ＿Ａｃｋ    Ａ１４−１ｘサービス・ページング確認
（２６）３Ｇ＿１ｘ＿Ｓｅｒｖｉｃｅ＿Ｐａｃｋｅｔ    ３Ｇ＿１ｘサービス・パッケージ
（２７）３Ｇ＿１ｘ＿Ｓｅｒｖｉｃｅ＿Ａｃｋ    ３Ｇ＿１ｘサービス・パッケージ確認
（２８）Ａ１３−Ｐａｇｉｎｇ＿Ｒｅｑｕｅｓｔ    Ａ１３−ページング請求メッセージ
（２９）Ａ１３−Ｐａｇｉｎｇ＿Ｒｅｓｐｏｎｓｅ    Ａ１３−ページング応答メッセージ
（３０）Ａ１３＿Ｐａｇｉｎｇ＿Ｄｅｌｉｖｅｒｅｄ    Ａ１３−ページング伝送メッセージ
（３１）Ａ１３＿Ｐａｇｉｎｇ＿Ｄｅｌｉｖｅｒｅｄ＿Ａｃｋ    Ａ１３−ページング伝送確認メッセージ
（３２）Ａ２１−Ｅｖｅｎｔ＿Ｎｏｔｉｆｉｃａｔｉｏｎ    Ａ２１インタフェースイベント通知メッセージ
（３３）Ａ２１−Ｅｖｅｎｔ＿Ｎｏｔｉｆｉｃａｔｉｏｎ＿Ａｃｋ    Ａ２１インタフェースイベント通知確認メッセージ
（３４）Ｔ３１１３、Ｔｅｖｅｎｔ、Ｔａｃｋ−２１、Ｔｐｒｅｑ−１３、Ｔ１ｘｓｐ１４    対応のタイマー
【図１】
2010516071.tif 000003
【図２】
2010516071.tif 000004
【図３】
2010516071.tif 000005
【図４】
2010516071.tif 000006
【国際調査報告】
2010516071.tif 000007
2010516071.tif 000008
2010516071.tif 000009
2010516071.tif 000010